(57)【特許請求の範囲】
【請求項１】
潤滑剤（４）のための出口開口部（３）を備えた潤滑剤貯蔵空間（２）を有する潤滑剤カートリッジ（１）と、
前記潤滑剤カートリッジ（１）と着脱可能に接続している、スピンドル（７）を駆動するための電池駆動のモータ（６）を収容する担持体（５）と、
前記スピンドル（７）と接続している、潤滑剤（４）を排出するためのプランジャ（８）を備えた潤滑剤ディスペンサであって、
モータ（６）の被駆動軸（９）がアダプタ（１０）を用いてスピンドル（７）と接続しており、アダプタ（１０）が潤滑剤カートリッジ（１）に向かって開口された，担持体（５）の収容空間（１１）内で回転運動可能に支承されている潤滑剤ディスペンサにおいて、
前記アダプタ（１０）の軸受として、転がり軸受（１２）が設けられており、この転がり軸受が担持体（５）とアダプタ（１０）の間に配置されていること、そして
アダプタ（１０）が担持体（１０）に固定された保持装置（１３）を用いて、収容空間（１１）からの滑落から軸方向で保護されており、
潤滑剤カートリッジ（１）の内部空間で圧力が形成されない限り、保持装置（１３）がアダプタ（１０）に作用し、
潤滑剤ディスペンサが運転され、かつプランジャ（８）の排出運動によりプランジャ面に逆圧が生じると同時に、保持装置（１３）とアダプタ（１０）の間に間隙が生じることを特徴とする潤滑剤ディスペンサ。
【請求項２】
保持装置（１３）が担持体（５）に固定された蓋から成り、この蓋がスピンドル（７）により貫通される開口部（１５）を備えており、
開口部（１５）の境界部（１６）が、収容空間（１１）内に配置されたアダプタ（１０）の周囲（１７）に横方向に突出しており、これにより軸方向でアダプタを保護することを特徴とする請求項１に記載の潤滑剤ディスペンサ。
【請求項３】
蓋がキャップの形式を備えており、かつ係止接続あるいはネジ接続（１８）により担持体５と着脱可能に接続していることを特徴とする請求項２に記載の潤滑剤ディスペンサ。
【請求項４】
転がり軸受（１２）が、深溝玉スラスト軸受あるいはスラストころ軸受から成ることを特徴とする請求項１〜３のいずれか一つに記載の潤滑剤ディスペンサ。
【請求項５】
転がり軸受（１２）が転がり要素（４５）を備えたスペーサリング（４６）と二つのカバーディスク（４７，４７’）を有しており、カバーディスク（４７，４７’）内には転がり要素（４５）のためのトラックが嵌め込まれていることを特徴とする請求項４に記載の潤滑剤ディスペンサ。
【請求項６】
担持体（５）が潤滑剤カートリッジ（１）の方を向いた正面側と潤滑剤カートリッジ（１）の反対の方を向いた後側を備えていること、
担持体（５）の後側には制御電子回路を備えた上部（２１）が配置されていること、そして
担持体（５）の正面側に配置された保持装置（１３）、担持体（５）及び上部（２１）が、担持体（５）の孔を貫通するネジにより接続されて、駆動モジュール（２３）を形成することを特徴とする請求項１〜５のいずれか一つに記載の潤滑剤ディスペンサ。
【請求項７】
担持体（５）が少なくとも一つの電池を収容するための電池室（３６）を備えていることを特徴とする請求項６に記載の潤滑剤ディスペンサ。
【請求項８】
上部（２１）がケーシング蓋（２４）内で不動に配置されており、このケーシング蓋が潤滑剤カートリッジ（１）と着脱可能に接続していることを特徴とする請求項６または７に記載の潤滑剤ディスペンサ。
【請求項９】
ケーシング蓋（２４）が潤滑剤カートリッジ（１）の縁部（３９）に当接しており、かつケーシング蓋（２４）に配置されたスリーブリング（４０）を用いて潤滑剤カートリッジ（１）に対して固定可能であることを特徴とする請求項８に記載の潤滑剤ディスペンサ。
【請求項１０】
プランジャ（８）が円筒形のカラー（４２）を備えており、このカラーが潤滑剤ディスペンサの使用開始前に、担持体（５）と潤滑剤カートリッジ（１）の内側面の間の環状空間（４３）内に係合することを特徴とする請求項１〜９のいずれか一つに記載の潤滑剤カートリッジ。
【発明の詳細な説明】
【技術分野】
【０００１】
本発明は、潤滑剤のための出口開口部を備えた潤滑剤貯蔵空間を有する潤滑剤カートリッジと、前記潤滑剤カートリッジと着脱可能に接続している、スピンドルを駆動するための電池駆動のモータを収容する担持体と、前記スピンドルと接続している、潤滑剤を排出するためのプランジャを備えた潤滑剤ディスペンサであって、モータの被駆動軸がアダプタを用いてスピンドルと接続しており、アダプタが潤滑剤カートリッジに向かって開口された，担持体の収容空間内で回転運動可能に支承されている潤滑剤ディスペンサに関する。
【背景技術】
【０００２】
このような潤滑剤ディスペンサは実践から知られており、かつ特許文献１から公知である。潤滑剤ディスペンサは、例えば転がり軸受とスライド軸受、リニア軸受およびチェーン等のような構成部材を正確にグリース潤滑するために組込まれる。潤滑剤ディスペンサは、例えば軸受の潤滑場所と接続しており、かつ潤滑剤を機械の耐用年数に応じて、あるいは所定の時間間隔をおいて制御しながら処理することができる。
【０００３】
特許文献２は無線制御された潤滑システムのための潤滑剤ディスペンサを開示している。潤滑剤ディスペンサの基本的構成には、グリスを含有する潤滑剤カートリッジならびに電池駆動のディスペンサ機構が所属している。このディスペンサ機構は、カートリッジからグリースを排出するためのプランジャとプランジャを動かすためのアクチュエータ機構を備えている。
【０００４】
潤滑剤を排出する際に、潤滑剤貯蔵空間内には大きな内圧が生じる。この内圧から、スピンドルを介してアダプタに伝達され、スラスト軸受により受け入れられるべき軸方向の力が生じる。公知の構成の場合、アダプタはスライドディスクに支持されている。同時に力が作用することによりアダプタが回転運動することにより、アダプタとスライドディスクの間に摩擦力が発生する。さらにアダプタとスライドディスクの間の摩擦力は、スライドディスクとアダプタの間の汚染により大きくなる。駆動するモータは過度に酷使され、アダプタの支承部に生じる力と結果として生じるトルクは支配的な寄与を果たす。モータの酷使により電流消費量は増大する。さらに実際のところ、駆動に使用されるモータがカートリッジがすでに空になった後に故障していることがよくあることが監視できた。
【先行技術文献】
【特許文献】
【０００５】
【特許文献１】独国実用新案登録第２９７１５８０８号明細書
【特許文献２】国際特許出願公開第２０１０／０２６５５９号明細書
【発明の概要】
【発明が解決しようとする課題】
【０００６】
本発明の根底を成す課題は、冒頭に記載した特徴を備えた潤滑剤ディスペンサにおいて、モータの寿命を長くし、かつ電力消費を減らすために、スピンドル駆動装置のモータに作用する力とモーメントを低減することにある。
【課題を解決するための手段】
【０００７】
この課題は請求項１による潤滑剤ディスペンサにより解決される。
【０００８】
本発明によれば、アダプタを支承するために、担持体とアダプタの間に配置されている転がり軸受が設けられており、アダプタは担持体に固定された保持装置を用いて収容空間からの落下に対して軸方向に固定されている。潤滑剤カートリッジの内部空間で圧力が形成されない限り、保持装置はアダプタにだけ作用する。潤滑剤ディスペンサが運転され、かつプランジャの排出運動によりプランジャ面に逆圧が生じると同時に、アダプタは保持装置から自由になり、保持装置とアダプタの間に間隙が生じ、従って保持装置における、接触が無く、摩擦が無くかつ磨耗の無いアダプタの回転が保証されている。
【０００９】
本発明によるアダプタ支承部により、先に記載された摩擦の根源はほとんどなくなる。摩擦力の総和に打ち勝つにはトルクがより小さいことが必要である。従って好ましくは電動モータである使用されるモータはよりわずかに使用され、それによりモータの故障は減少し、潤滑剤ディスペンサの信頼性は全体的に高められる。特に、値段が安いだけでなく、電流必要量も低く、かつ必要とする取付空間もわずかですむ、性能の低いモータを潤滑剤ディスペンサに使用することができる。本発明による構成により、電流消費量を下げることができる。ひっくるめて、機械損失を低減することにより、エネルギー効率を改善することができる。本発明による理論は、潤滑剤カートリッジを空にするためによりわずかな電池容量が必要とされることをもたらす。これにより環境への悪影響はより小さくなる。潤滑剤ディスペンサを動かすために、従来技術と比較して電池の使用量はより少なくなる。所定の通常の電池を使用する際に、より多量の潤滑剤量を排出するために、あるいはより低い運転温度において確実な潤滑剤の排出を保証するために、さらに本発明による理論を利用することができる。これにより、低温における屋外での潤滑剤ディスペンサの使用の可能性が改善される。
【００１０】
保持装置はスピンドルにより貫通される開口部を備えた、担持体に固定された蓋から成るのが好ましく、開口部の境界部は収容空間内に配置されたアダプタの周囲から横に突出しており、それにより軸方向にアダプタを保護する。このことは、特に新しい潤滑剤を満たす目的で、あるいは場合によっては起こり得る手入れ作業のために潤滑剤カートリッジを交換する際には特に重要である。
【００１１】
蓋の様式で構成された保持装置には二つの役目がある。一つはアダプタのための記載された支持機能であり、他のは転がり軸受のための保護機能である。潤滑剤ディスペンサが運転していない場合、アダプタは蓋の開口部の境界部に当接している。従って潤滑剤カートリッジの方向へのアダプタの滑落はできなくなっている。それに加えて、汚染はアダプタと境界部との間の移行部には漏出する恐れはなく、それにより、収容空間、特に転がり軸受は汚染に対して保護されている。始めに説明したように、アダプタは排出過程時に軸方向に最小限移動され、従って潤滑剤ディスペンサへの負荷の作用下で、アダプタと蓋の間に接触はない。それと同時に、潤滑剤ディスペンサ運転する際のアダプタの摩擦の無い回転が保証されている。
【００１２】
蓋はキャップの形式を備えているのが好ましく、かつ例えば係止接続あるいはネジ接続により担持体と着脱可能に接続している。その際に、アダプタの滑落が連結されたスピンドル、プランジャおよび転がり軸受の重量を考慮してもあり得ないように着脱可能な接続が保証されている。キャップは潤滑剤カートリッジの方を向いた担持体の正面側に当接しており、従って潤滑剤ディスペンサ内で場所をとらないで一体化されている。
【００１３】
転がり軸受として異なる軸受を使用することができる。深溝玉スラスト軸受あるいはスラストころ軸受が設けられているのが好ましい。転がり軸受は転がり要素を備えたスペーサリングと二つのカバーディスクを有するのが有効であり、カバーディスク内には転がり要素のためのトラックが嵌め込まれている。カバーディスクは各々、担持体とアダプタに支持され、担持体に支持されたカバーディスクは潤滑剤を排出する間固定されており、アダプタに支持されたカバーディスクはアダプタの運回転運動をすべり無しで受け入れる。転がり軸受は摩耗が極めて少なく、かつ寿命が長いことを特徴とする。
【００１４】
担持体は潤滑剤カートリッジの方を向いた正面側と潤滑剤カートリッジの反対の方を向いた後側を備えている。担持体の後側には制御電子回路を備えた上部が配置されている。担持体の正面側に配置された保持装置、担持体及び上部は、担持体の孔を貫通するネジにより接続されて駆動モジュールを形成するのが好ましい。有利な方法で、潤滑剤ディスペンサは、モジュール内に一体化された物体が滑落する恐れが無く、例えば潤滑剤を潤滑剤カートリッジに後から注ぎたすように開放されてもよい。従って損失と損傷はなくなっている。
【００１５】
上部は潤滑剤カートリッジと着脱可能に接続しているケーシング蓋内に不動に配置されている。
【００１６】
さらに担持体内には制御電子回路とモータに電流を供給するための少なくとも一つの電池を収容するための電池室が配置されている。電池室内で使用される電源は、クランプ装置を用いて固定されているのが有効である。
【００１７】
ケーシング蓋は、潤滑剤カートリッジの縁部に当接しており、好ましくはケーシング蓋に配置されたスリーブリングを用いて潤滑剤カートリッジに対して固定されている。この目的で、潤滑剤カートリッジは雄ネジを備え、スリーブリングは互いにネジ締め可能な雌ネジを備えている。ケーシング蓋はストッパを備えており、ストッパの間でスリーブリングは軸方向に動くことができる。その場合、リングの損失はなくなる。潤滑剤カートリッジへのケーシング蓋の取付は、実践から知られた、ケーシング蓋に雌ネジが設けられている潤滑剤ディスペンサと比べて容易である。本発明による潤滑剤ディスペンサの場合、ケーシング蓋は潤滑剤カートリッジへ精度良く嵌合するように取付けられ、かつリングを潤滑剤カートリッジとネジ止めすることにより固定できる。雌ネジは寸法が安定しかつ比較的薄いリングに構成されており、かつコストの理由から、寸法安定性が妥当なプラスチックから薄肉で規則的に製造されているケーシング蓋の外筒面にははいちされていない場合、繋ぎ合わせる際に潤滑剤カートリッジとスリーブリングのネジ山の間隔が傾く危険は僅かである。
【００１８】
プランジャは円筒形のカラーを備えており、このカラーは潤滑剤ディスペンサの使用開始前に、担持体と潤滑剤カートリッジの内側面の間の環状空間内に係合する。カラーと担持体は、対応するように構成されており、これによりこれらのカラーと担持体は精度良く嵌合して互いに重なり合って押付けられてもよい。これから結果として生じる長所は、スピンドルの接続端部が必然的にこの接続端部に対応するように構成されたアダプタの収容部内に挿入可能であることである。スピンドルの接続端部は多角面を備えているのが好ましい。
【００１９】
本発明を以下にただ一つの実施例を描いた図に基づいて詳しく説明する。
【図面の簡単な説明】
【００２０】
【図１】潤滑剤ディスペンサの縦方向断面図である。
【図２】図１に対して直角にむいた切断面における潤滑剤ディスペンサの別の断面図である。
【図３】図１に対して拡大した描写における図１の部分図である。
【図４】図１〜３に示した潤滑剤ディスペンサを使用するための転がり軸受を示す図である。
【発明を実施するための形態】
【実施例】
【００２１】
図示した潤滑剤ディスペンサの基本的構成には、潤滑剤４のための出口開口部３を備えた貯蔵室２を有する潤滑剤カートリッジ１、潤滑剤カートリッジ１と着脱可能に接続した、スピンドル７を駆動するための電池で運転されるモータ６を収容する担持体５、スピンドル７と接続した、潤滑剤を排出するためのプランジャ８が所属している。ここに示した潤滑剤ディスペンサの場合、電動モータであるモータ６は、アダプタ１０を使用してスピンドル７と接続している被駆動軸９を備えている。アダプタ１０は潤滑剤カートリッジ１に向かって開口した担持体５の収容空間１１内で支承されている。アダプタ１０の支承部として、担持体５とアダプタ１０の間に配置されている転がり軸受１２が設けられている。アダプタ１０は担持体５に固定された保持装置１３を使用して収容空間１１から落ちることに対して軸方向に固定する。
【００２２】
図１の描写によれば、保持装置１３は担持体５に固定された蓋から成る。蓋は潤滑剤カートリッジ１の方を向いた担持体５の前側にある。蓋はスピンドル７とアダプタ１０のテーパの付いた先端部を貫通した開口部１５を備えており（図３）、開口部１５の境界部１６は、収容空間１１に収容されたアダプタ１０の周囲１７から突出しており、かつこれによりアダプタ１０を軸方向に固定する。ここに示したように、潤滑剤ディスペンサの無負荷の状態において、アダプタ１０のフランジ面は開口部１５の境界部１当接している。このことは特に潤滑剤カートリッジを交換する際に有利である。その理由はアダプタ１０が潤滑剤ディスペンサを分解する際に収容空間１１から落ちる恐れが無いことにある。
【００２３】
図１からは、保持装置１３を形成する蓋がキャップの形式を備えており、かつネジ接続により着脱可能でありしかも担持体５と接続していることが見て取れる。図示したようにネジ１８は担持体５の孔を貫通しており、かつ担持体の後側に配置された上部２１に組込まれている。従って、キャップ状の保持装置１３、担持体５および上部２１は、ネジ１８により接続されて駆動モジュール２３を形成する。
【００２４】
上部２１は、潤滑剤カートリッジ１と接続しているケーシング蓋２４内に不動に配置されている。上部２１は潤滑剤ディスペンサを調節するための操作領域２７を備えており、かつ制御電子回路のための回路基板３１を具備している。特に表示装置２９が設けられている。操作領域２７はケーシング蓋２４の正面で開口部３２を貫通しており、従って潤滑剤ディスペンサの外側で見ることが可能であり、かつ操作可能である。
【００２５】
スピンドル７はそのスピンドル端部３４に多角面を備えており、この多角面はアダプタ１０の対応する収容部３５内に挿入されていることが図１から見て取れる。
【００２６】
図２の描写によれば、担持体５には制御電子回路とモータ６に電流を供給するための少なくとも一つの電池を収容するための電池室３６が配置されている。さらに図２には、ケーシング蓋２４が潤滑剤カートリッジ１の縁部３９に当接しており、かつケーシング蓋２４に配置されたスリーブリング４０を用いて潤滑剤カートリッジ１から着脱可能に固定されている。この目的で、潤滑剤カートリッジ１は雄ネジを備え、スリーブリング４０は互いにネジ締め可能な雌ネジを備えている。スリーブリング４０は寸法が安定したリングとして形成されているのが有効であり、かつその外側にグリップを修正するための輪郭および／または旋削工具のための接続部を備えている。
【００２７】
図から見て取れるように、プランジャ８は円柱形のカラー４２を備えており、このカラーは潤滑剤ディスペンサの使用開始前に、担持体５と潤滑剤カートリッジ１の内側面の間の環状空間４３内に係合する。カラー４２と担持体５は、対応するように仕上げられており、それによってこれらは精密な輪郭で重なり合って押付けられている。
【００２８】
図示した潤滑剤ディスペンサの転がり軸受１２は、深溝玉スラスト軸受であり、かつ図４の描写によれば複数の転がり要素４５を備えたスペーサリング４６と二つのカバーディスク４７，４７’を備えており、カバーディスク４７，４７’内には転がり要素４５のためのトラックが嵌め込まれている。転がり軸受１２はモータ６の被駆動軸９により貫通された中央開口部を備えており被駆動軸９はアダプタ１０内で終わり、かつこのアダプタと回転不能に接続している。カバーディスク４７，４７’は各々、担持体５とアダプタ１０に支持され、担持体５に支持されたカバーディスク４７’は潤滑剤４を排出する間固定されており、カバーディスク４７はアダプタ１０の運動をすべり無しで受け入れ、それにより転がり要素４５は動いている。潤滑剤ディスペンサに負荷がかかっていると、すなわち潤滑剤４が潤滑剤ディスペンサから排出されると、スピンドル７は駆動され、それによりプランジャ８は出口開口部３の方向に移動する。その際に潤滑剤ディスペンサ内で生じた内圧から、スピンドル７を介してアダプタ１０に伝達される軸方向力が生じる。この力の作用の結果、アダプタ１０は軸方向にごくわずか移動され、力により転がり軸受１２に抗して押圧される。
【図１】
0005945334.tif 000002
【図２】
0005945334.tif 000003
【図３】
0005945334.tif 000004
【図４】
0005945334.tif 000005